(57)【要約】【課題】外形画像のデータ形式にかかわらず、システム全体の外形画像を各装置の画像の倍率が一致した正しい形状で表示する。【解決手段】コントローラ４１のＣＰＵ４１ａは、自己のメモリ４１ｂが記憶する画像形成装置の外形画像と外形画像サイズとに基づいて操作パネル４８の表示画面４８ａに画像形成装置の外形画像を表示し、さらに各オプション装置４４〜４７のメモリ４４ｂ〜４７ｂが記憶する各オプション装置の外形画像と外形画像サイズとに基づいて、各オプション装置の外形画像を表示画面４８ａに表示する。このように予め記憶した各装置の外形画像データと、その外形画像サイズとに基づいて各装置の外形画像を表示することにより、外形画像のデータ形式にかかわらず、画像形成システム全体の外形画像を、各装置の大きさの比率が実際の比率に一致した正しい形状で表示することができる。【選択図】図２
2007036997.tif 000002
【特許請求の範囲】
【請求項１】
入力画像を記録材上に記録する画像形成装置と、前記画像形成装置に取り付けられるオプション装置とからなる画像形成システムにおいて、
前記画像形成装置は自己の外形画像と外形画像サイズとを記憶する画像形成装置外形画像記憶手段を有し、前記オプション装置は自己の外形画像と外形画像サイズとを記憶するオプション装置外形画像記憶手段を有し、
前記画像形成システムは、表示手段と、該表示手段の表示を制御する表示制御手段とを備え、該表示制御手段は、前記画像形成装置外形画像記憶手段及び前記オプション装置外形画像記憶手段にそれぞれ記憶された外形画像及び外形画像サイズとに基づいて前記画像形成装置と前記オプション装置の外形画像を前記表示手段に表示する制御を行うことを特徴とする画像形成システム。
【請求項２】
請求項１に記載の画像形成システムにおいて、前記画像形成装置外形画像記憶手段と前記オプション装置外形画像記憶手段は、画像形成を行う記録材の給紙位置座標情報、及び／または該記録材の排出位置座標情報を記憶していることを特徴とする画像形成システム。
【請求項３】
請求項１に記載の画像形成システムにおいて、前記画像形成装置外形画像記憶手段と前記オプション装置外形画像記憶手段は画像形成を行う記録材の搬送経路画像を記憶し、前記表示制御手段は該搬送経路において記録材のジャムが発生したときに前記搬送経路画像を用いてジャムの発生箇所を前記表示手段に表示する制御を行うことを特徴とする画像形成システム。
【請求項４】
請求項３に記載の画像形成システムにおいて、前記画像形成装置外形画像記憶手段及び前記オプション装置外形画像記憶手段の少なくとも一つは前記記録材のジャムを解除する方法を説明する情報を記憶し、前記表示制御手段は前記記録材のジャムが発生したときに前記ジャムを解除する方法を説明する情報を前記表示手段に表示する制御を行うことを特徴とする画像形成システム。
【発明の詳細な説明】
【技術分野】
【０００１】
本発明は、画像記録を行う画像形成装置と前記画像形成装置の周辺に取り付けられ画像の記録を補助する周辺装置とからなる画像形成システムに関し、特に、画像形成装置に設けられた表示部に各装置の情報を操作者に分かりやすいように表示する画像形成システムに関する。
【背景技術】
【０００２】
例えば複写機等の画像形成装置において、画像形成装置の状態や動作、設定情報等に関する各種の情報を表示するためのＬＣＤ等による表示画面が設けられている。そしてその表示画面上には、画像形成装置の状態や動作あるいは設定情報に関して、操作者による指示や、操作者に対する画像形成装置側からのメッセージなど多くの情報が表示される。そしてこれらの情報に基づいて、操作者は、画像形成装置に対して所望する動作指示やメンテナンス等の処置を行うことができる。このとき操作者は、表示画面の上に表示された選択指示ボタン表示の中から、所望する動作に関するボタン表示を選択して指示を行う。例えば表示画面上にはタッチパネルが配置されており、操作者は表示画面上で簡単に所望の操作を行うことができる。
【０００３】
上記のような表示画面における操作を容易にするために、例えば画像形成装置の外形画像を表示することが行われる。ユーザはその外形画像から画像形成装置の状態を認識したり、あるいは所望の操作を容易に行うことができるようになっている。例えば、画像形成装置の外形画像の給紙装置部分を操作すると、給紙装置を選択設定できる画面に切り替わってユーザは給紙装置の選択を容易に行うことができる。
【０００４】
上記のような画像形成装置における表示機能に関し、例えば、特許文献１には、装置の電源を投入した段階から複写機、及び周辺機器（本明細書のオプション装置に相当）の状態を確認し、ウォームアップ中における複写システムの構成、及び装置の状態を利用者に分かりやすく案内するようにした画像形成システムが開示されている。ここではデジタル複写機のＣＰＵは、電源を投入してから複写機自身の状態を自己診断し、自機に初期異常が確認されなければ、デジタル複写機に取り付けられている周辺機器の状態、状況など周辺装置に関する情報を順次確認しながら、操作パネルの液晶表示部の表示状態を遷移させる。そして複写システムとして動作可能な状態に達すると、表示部は、複写機が動作可能であることを、及び待機中であることを表示する。
【特許文献１】特開平１１―１３４１５２号公報
【発明の開示】
【発明が解決しようとする課題】
【０００５】
例えば、画像形成装置にオプション装置が接続されてなる画像形成システムにおいては、画像形成装置とオプション装置との外形画像を統合して表示する必要が生じる。
外形画像は、オプション装置自身が保持しておくことが合理的である。これにより新規なオプション装置が追加された場合や、オプション装置の仕様変更があったときにも容易に対応が可能となる。
【０００６】
しかしながらこのような場合、外形画像が各所に分散し、これらの画像のデータ形式が異なっていたり、また画像サイズが互いに異なっていると、これらを統合した場合に画像データが整合せず、必要とする外形画像が得られないという問題が生じる。この場合に、表示装置の仕様に応じて、統一した形式及び画像の大きさで画像データを保持しなくてはならないという制約が生じる。このような問題に対して、表示装置の制約を受けることなく、あらゆるシステムの表示装置に対して柔軟に対応することができる画像表示技術が求められる。
【０００７】
また上記特許文献１の画像形成システムでは、周辺装置（オプション装置）内に外形画像データを記憶し、本体外形画像とオプション外形画像を統合して表示しているが、画像倍率や表示位置を一致させて画像統合に柔軟に対応することで、上記課題を解決するようにした技術思想は開示されていない。
【０００８】
本発明は、上述のごとき実情に鑑みてなされたもので、外形画像のデータ形式にかかわらず、システム全体の外形画像を各装置の画像の倍率が一致した正しい形状で表示することができ、あらゆるシステムにおける表示装置に対し柔軟に対応できるようにした画像形成システムを提供することを目的とするものである。
【課題を解決するための手段】
【０００９】
本発明の第１の技術手段は、入力画像を記録材上に記録する画像形成装置と、画像形成装置に取り付けられるオプション装置とからなる画像形成システムにおいて、画像形成装置は自己の外形画像と外形画像サイズとを記憶する画像形成装置外形画像記憶手段を有し、オプション装置は自己の外形画像と外形画像サイズとを記憶するオプション装置外形画像記憶手段を有し、画像形成システムは、表示手段と、表示手段の表示を制御する表示制御手段とを備え、表示制御手段は、画像形成装置外形画像記憶手段及びオプション装置外形画像記憶手段にそれぞれ記憶された外形画像及び外形画像サイズとに基づいて画像形成装置とオプション装置の外形画像を表示手段に表示する制御を行うことを特徴としたものである。
【００１０】
第２の技術手段は、第１の技術手段において、画像形成装置外形画像記憶手段とオプション装置外形画像記憶手段は、画像形成を行う記録材の給紙位置座標情報、及び／または記録材の排出位置座標情報を記憶していることを特徴としたものである。
【００１１】
第３の技術手段は、第１の技術手段において、画像形成装置外形画像記憶手段とオプション装置外形画像記憶手段は画像形成を行う記録材の搬送経路画像を記憶し、表示制御手段は搬送経路において記録材のジャムが発生したときに搬送経路画像を用いてジャムの発生箇所を表示手段に表示する制御を行うことを特徴としたものである。
【００１２】
第４の技術手段は、第３の技術手段において、画像形成装置外形画像記憶手段及びオプション装置外形画像記憶手段の少なくとも一つは記録材のジャムを解除する方法を説明する情報を記憶し、表示制御手段は記録材のジャムが発生したときにジャムを解除する方法を説明する情報を表示手段に表示する制御を行うことを特徴としたものである。
【発明の効果】
【００１３】
本発明によれば、外形画像のデータ形式にかかわらず、システム全体の外形画像を各装置の画像の倍率が一致した正しい形状で表示することができ、また表示装置の性能に応じて異なる外形画像を用意する必要が無く、あらゆるシステムにおける表示装置に対し柔軟に対応できる画像形成システムを提供することができる。
【００１４】
また本発明によれば、給紙位置／排出位置座標に基づき、表示制御手段が横縦比を固定縮小（拡大）することで、画像形成装置に対してオプション装置を正しい位置に表示することができる。
さらに本発明によれば、記録材の搬送経路上におけるジャム発生箇所を容易に目視できるようになり、ユーザは簡便かつ迅速にジャムの解除処理を行うことができるようになる。さらに本発明によれば、ジャムが発生したときのジャム解除方法が表示されることにより、ユーザはジャムの解除方法を容易に理解できるようになる。
【発明を実施するための最良の形態】
【００１５】
以下本発明の画像形成システムの実施の形態について、添付された図面を参照しながら具体的に説明する。本発明の画像形成システムは、例えば、複写モード、プリンタモード、ファックスモード等を有するデジタル複写機に適用可能であり、以下の実施形態は、デジタル複写機を例として説明する。
【００１６】
図１は、本発明の画像形成システムが適用可能なデジタル複写機の概略構成図である。デジタル複写機１０は、大きくはスキャナ部１１と、レーザプリンタ部１２とを有して構成されている。
スキャナ部１１は、透明ガラスからなる原稿載置台１５と、原稿載置台１５上へ自動的に原稿を供給搬送するための両面対応自動原稿送り装置（ＲＡＤＦ）１６と、原稿載置台１５上に載置された原稿の画像を走査して読み取るための原稿画像読み取りユニット、すなわちスキャナユニット２０とから構成されている。スキャナ部１１にて読み取られた原稿画像は、画像データとして後述する画像データ入力部へと送られ、画像データに対して所定の画像処理が施される。
【００１７】
上記のＲＡＤＦ１６は、図示しない原稿トレイ上にセットされた複数枚の原稿を１枚ずつ自動的にスキャナユニット２０の原稿載置台１５上へ給送する。このＲＡＤＦ１６は、片面原稿のための搬送経路、両面原稿のための搬送経路、これら搬送経路を切り換える切り換え手段、各部を通過する原稿の状態を把握して管理するセンター群、及びこれらを制御する制御部、などから構成されている。そしてＲＡＤＦ１６は、オペレータの選択に応じて原稿の片面または両面をスキャナユニット２０で読み取らせる。
【００１８】
スキャナユニット２０は、原稿載置台１５上の原稿の画像を読み取るためのスキャナ部１１を構成する。このスキャナユニット２０は、原稿面上を露光するランプリフレクタアセンブリ２１と、第１の走査ユニット２０ａと、第２の走査ユニット２０ｂと、光学レンズ２３と、ＣＣＤ２４とから構成されている。第１の走査ユニット２０ａは、第１の反射ミラー２２ａを搭載し、原稿からの反射光像を光電変換素子（ＣＣＤ）２４に導くために原稿からの反射光を反射する。
【００１９】
第２の走査ユニット２０ｂは、第２及び第３の反射ミラー２２ｂ，２２ｃを搭載し、第１の反射ミラー２２ａからの反射光像をＣＣＤ２４に導く。そして光学レンズ２３は、原稿からの反射光像を上述した各反射ミラーを介してＣＣＤ２４上に結像させる。ＣＣＤ２４は入射した上記原稿からの反射光像を電気的画像信号に変換する。
【００２０】
スキャナ部１１は、上記ＲＡＤＦ１６とスキャナユニット２０との関連した動作により、読み取るべき原稿を原稿載置台１５上に順次載置させながら、原稿載置台１５の下面に沿ってスキャナユニット２０を移動させて原稿画像を読み取る。特に第１の走査ユニット２０ａは、原稿載置台１５に沿って左から右へと一定速度Ｖで走行され、また第２の走査ユニット２０ｂは、その速度Ｖに対して、Ｖ／２の速度で同一方向に平行に走査制御される。これにより、原稿載置台１５上に載置された原稿の画像を、１ライン毎に順次ＣＣＤ２４へと結像させて、画像を読み取ることとなる。
【００２１】
原稿画像をスキャナユニット２０にて読み取ることにより得られた画像データは、後述するコントローラの画像処理部へ送られ、各種処理が施され、メモリに一旦記憶される。そして画像形成装置に対する出力指示に応じてメモリ内の画像が読み出され、レーザプリンタ部１２に転送されて、記録シート上に画像が形成される。このレーザプリンタ部１２は、画像を形成させるための記録材であるシートの搬送系、レーザ書き込みユニット２６、および画像を形成するための電子写真プロセス部２８を備えている。
【００２２】
レーザ書き込みユニット２６は、上述したスキャナユニット２０にて読み取った後のメモリから読み出した画像データまたは外部の装置から転送されてきた画像データに応じてレーザ光を出射する半導体レーザ光源と、レーザ光を等角速度偏向するポリゴンミラーと、等角速度で偏向されたレーザ光が電子写真プロセス部２８を構成する感光体ドラム上で等角速度で偏向されるように補正するｆθレンズとを有している。上記電子写真プロセス部２８は、周知である感光体ドラムの周囲に帯電器、現像器、転写器、剥離器、クリーニング器、及び除電器を備えている。
【００２３】
一方、シートの搬送系は、上述した画像形成を行う電子写真プロセス部２８の特に転写器が配置された転写位置へとシートＰを搬送する搬送部と、該搬送部へシートＰを送り込むためのカセット給紙装置３１，３２，３３と、必要なサイズのシートを適宜給紙するための手差し給紙装置３４と、転写後のシートに形成された画像、特にトナー像を定着するための定着器２９と、定着後のシートの裏面に再度画像を形成するためのシートを再供給するための再供給経路３５とを備えている。また定着器２９の下流側には、画像が記録されたシートＰを受け取り、このシートに対して所定の処理を施す後処理装置１４が配置されている。
【００２４】
レーザ書き込みユニット２６及び電子写真プロセス部２８において、画像メモリから読み出された画像データは、レーザ書き込みユニット２６によってレーザ光線を走査させることにより、電子写真プロセス部２８である感光体ドラムの表面上に静電潜像として形成される。トナーにより可視像化されたトナー像は、多段給紙ユニットのいずれかの給紙部から搬送された用紙の面上に、静電転写され定着される。このようにして画像が形成された用紙は、定着器２９から排紙ローラ３６を経由して後処理装置１４内へと搬送される。
【００２５】
図２は、本発明の画像形成システムが適用可能なデジタル複写機における制御系の構成例を説明するための図である。図２において、デジタル複写機の各部の動作は、コントローラ４１にて制御される。
コントローラ４１には、操作パネル４８が相互に通信可能な状態で接続される。操作者は、操作パネル４８を操作することにより複写モードを設定入力することができ、入力操作に従う制御信号が操作パネル４８からコントローラ４１のＣＰＵ４１ａに転送され、ＣＰＵ４１ａはその複写モードに応じてデジタル複写機を動作させるようになっている。
【００２６】
デジタル複写機は、スキャナコントロールユニット（ＳＣＵ）４２と、プリンタコントロールユニット４３とを備えている。スキャナコントロールユニット４２は、図１に示すスキャナユニット２０に該当し、原稿載置台に載置された原稿の画像を走査して読み取り、読み取った画像をメモリ４２ｂに蓄えたあとコントローラ４１の画像処理部４１ｃへ送る。画像処理部４１ｃでは読み取られた原稿画像に対して各種の処理を施し、コントローラ４１のメモリ４１ｂに記憶する。
【００２７】
上記コントローラ４１のメモリ４１ｂに記憶された画像データは、操作パネル４８等による出力指示に応じて読み出され、プリンタコントロールユニット４３に出力される。プリンタコントロールユニット４３は、上記図１のレーザプリンタ部１２に該当し、コントローラ４１から転送された画像データを用いて、記録材等に対して画像形成を行う。
【００２８】
また図２に示すデジタル複写機には、オプション装置として、ドキュメントフィーダ（ＤＦ）４４、大容量給紙ユニット（ＬＣＣ）４５、給紙ユニット（ＤＥＳＫ）４６、及び後処理装置（ＦＩＮＩＳＨＥＲ；フィニッシャ）４７が接続されている。
ドキュメントフィーダ４４はＲＡＤＦ１６に該当し、原稿トレイ上にセットされた複数枚の原稿を１枚ずつ自動的にスキャナコントロールユニット４２に搬送する。また給紙ユニット４６は、図１のカセット給紙装置３２，３３に該当し、デジタル複写機のシート搬送部へシートを送り込む。また大容量給紙ユニット４５は、大容量のシートを保持可能なユニットであり、デジタル複写機本体に対して外付けされてデジタル複写機のシート搬送部へシートを送り込む。
【００２９】
また後処理装置４７は、画像が記録されたシートを受け取り、そのシートに対して所定の処理を施す。例えば後処理装置４７には、複数のシートを綴じるための孔を開けるパンチ部、ステープルによって複数のシート材を綴じるステープラ部、シート材を分別する分別部、搬送ローラ、ステープラ部がシート材を綴じる間にシート材を載置する中間トレイなどが備えられる。またこの他、シングルパスフィーダ（ＳＰＦ）などがオプション装置として接続される。
【００３０】
上記の各オプション装置、すなわちドキュメントフィーダ（ＤＦ）４４、大容量給紙ユニット（ＬＣＣ）４５、給紙ユニット（ＤＥＳＫ）４６、及び後処理装置（ＦＩＮＩＳＨＥＲ）４７には、それぞれこれら各オプション装置を制御するＣＰＵ４４ａ〜４７ａと、メモリ４４ｂ〜４７ｂと、付加モータやソレノイドなど４４ｃ〜４７ｃと、フォトセンサ等のセンサ類やスイッチなど４４ｄ〜４７ｄとが設けられている。そしてコントローラ４１のＣＰＵ４１ａは、これらをシーケンス制御により管理すると共に、各部へ制御信号を出力している。
【００３１】
上記のような構成の本実施形態の画像形成システムにおいて、画像形成装置のメモリ（すなわちコントローラのメモリ４１ｂ）には、画像形成装置の外形画像と、その外形画像サイズとが記憶される。ここでは本発明の画像形成装置外形画像記憶手段が、コントローラ４１のメモリ４１ｂに該当する。
【００３２】
また各オプション装置、すなわちドキュメントフィーダ４４、大容量給紙ユニット４５、給紙ユニット４６、及び後処理装置４７がそれぞれ有するメモリ４４ｂ〜４７ｂは、それらオプション装置の自己の外形画像と、その外形画像サイズとを記憶している。ここでは本発明のオプション装置外形画像記憶手段は、上記それぞれのオプション装置が備えるメモリが該当する。
【００３３】
そしてコントローラ４１のＣＰＵは、自己のメモリ４１ｂが記憶する画像形成装置の外形画像と外形画像サイズとに基づいて操作パネル４８の表示画面４８ａに画像形成装置の外形画像を表示し、さらに各オプション装置のメモリ４４ｂ〜４７ｂが記憶する各オプション装置の外形画像と外形画像サイズとに基づいて、各オプション装置の外形画像を表示画面４８ａに表示する。ここでは、コントローラ４１のＣＰＵ４１ａが、本発明の表示制御手段に該当し、表示画面４８ａが本発明の表示装置に該当する。
【００３４】
上記のように予め記憶した各装置の外形画像データと、その外形画像サイズとに基づいて各装置の外形画像を表示することにより、外形画像のデータ形式にかかわらず、画像形成システム全体の外形画像を、各装置の大きさの比率が実際の比率に一致した正しい形状で表示することができる。また表示装置の性能に応じて異なる外形画像を用意する必要がなく、あらゆるシステムにおける表示装置に対し柔軟に対応できる。
【００３５】
図３は、画像形成装置がオプション装置に対して要求する外形情報取得要求コマンドの一例を説明する図である。外形情報取得要求コマンドは、画像形成装置のコントローラ４１のＣＰＵ４１ａが発行し、プリンタコントロールユニット４３またはスキャナコントロールユニット４２を経由して、各オプション装置に入力する。図３の例では、対象ユニット（オプション装置）として、ＬＣＣ（大容量給紙ユニット）４５が指定されている。図３の例に示すコマンドは、コントローラ４１のＣＰＵ４１ａからプリンタコントロールユニット４３のＣＰＵ４３ａを経由して、大容量給紙ユニット４５に送られる。
【００３６】
図４は、ユニット情報のパラメータの設定例を示す図である。図４のように、接続されるユニット情報が保持される。ここでは“デスク（給紙ユニット）、ＬＣＣ（大容量給紙ユニット）、ＳＰＦ（シングルパスフィーダ）、フィニッシャ（後処理装置）、等が設定されている。
【００３７】
図５はオプション装置から画像形成装置に返信される応答コマンドの一例を説明する図である。上記図３に示したような外形情報取得要求コマンドに対して、オプション装置（ここでは大容量給紙ユニット４５）は図５に示すような応答コマンドをコントローラ４１のＣＰＵ４１ａに返信する。ここではオプション装置のメモリに記憶している外形情報として、自己のユニット名を示すユニット情報、自己の外形寸法（Ｗ，Ｄ，Ｈ）、外形画像サイズ（Ｘ，Ｙ）、画像データサイズ、及び画像データ（オプション装置の外形画像を示す画像データ）がコントローラ４１に返信される。この場合、大容量給紙ユニット４５から返信される応答コマンドは、プリンタコントロールユニット４３のＣＰＵ４３ａを経由して、コントローラ４１のＣＰＵ４１ａに入力する。
【００３８】
コントローラ４１のＣＰＵ４１ａは、オプション装置から返信された応答コマンドに従って、操作パネル４８の表示画面４８ａに表示させる画像データを生成し、画像表示させる。
図６は、表示画面に表示させる外形画像の表示例を説明するための図である。まず図６（Ａ）において、コントローラ４１のＣＰＵ４１ａは、メモリ４１ｂに記憶してある画像形成装置の外形画像に基づいて、操作パネル４８の表示画面４８ａに画像形成装置１０の外形画像を表示させる。
【００３９】
そしてコントローラ４１のＣＰＵ４１ａは、上記大容量給紙ユニット４５から返信された応答コマンドを用いて、表示画面４８ａに大容量給紙ユニット４５の外形を表示させる。このとき、ＣＰＵ４１ａは、画像形成装置の外形寸法及び外形画像サイズと、大容量給紙ユニットの外形寸法及び外形画像サイズとを用いて、これら画像形成装置と大容量給紙ユニットの表示寸法比率が実際の寸法比率と同じになるように表示画像を生成する。図６の例では、画像形成装置１０の寸法に合わせて大容量給紙ユニット４５の外形画像を縮小し、図６（Ｂ）に示すように、装置の寸法比率が実際のものと同じになるように表示を行う。
なお、実際の操作パネル４８の表示画面４８ａには、図６（Ａ）のような画像は表示されることなく、ＣＰＵ４１ａが取得した外形画像データに基づいて生成した図６（Ｂ）の画像が表示されることになる。
【００４０】
本発明の画像形成システムの他の実施形態では、上記のような寸法比率を制御して外形画像を表示する機能に加えて、画像形成装置１０のメモリ４１ｂと各オプション装置のメモリ４４ｂ〜４７ｂに、画像形成を行う記録材の給紙位置座標情報、及び／または記録材の排出位置座標情報を記憶させる。そしてコントローラ４１のＣＰＵ４１ａは、これら座標情報に基づいて、表示画面４８ａに表示させる画像形成システムの該当部分に、給紙位置及び／または排紙位置を明示する表示を行うようにする。
【００４１】
図７は、オプション装置から画像装置に返信される応答コマンドの他の例を説明する図である。ここでは、上記図３に示したような外形情報取得要求コマンドに対して、オプション装置（ここでは大容量給紙ユニット４５）は図７に示すような応答コマンドをコントローラ４１のＣＰＵ４１ａに返信する。この場合、オプション装置のメモリに記憶している外形情報として、自己のユニット名を示すユニット情報、自己の外形寸法（Ｗ，Ｄ，Ｈ）、外形画像サイズ（Ｘ，Ｙ）、排紙座標情報（Ｘ，Ｙ）、給紙座標情報（Ｘ，Ｙ）、画像データサイズ、及び画像データ（オプション装置の外形画像を示す画像データ）がコントローラ４１に返信される。この場合、大容量給紙ユニット４５から返信される応答コマンドは、プリンタコントロールユニット４３のＣＰＵ４３ａを経由して、コントローラ４１のＣＰＵ４１ａに入力する。
【００４２】
コントローラ４１のＣＰＵ４１ａは、オプション装置から返信された応答コマンドに従って、操作パネル４８の表示画面４８ａに表示させる画像データを生成し、画像表示させる。
図８は、表示画面に表示させる外形画像の他の表示例を説明するための図である。まず図８（Ａ）において、コントローラ４１のＣＰＵ４１ａは、メモリ４１ｂに記憶してある画像形成装置の外形画像に基づいて、操作パネル４８の表示画面４８ａに画像形成装置１０の外形画像を表示させる。このとき、ＣＰＵ４１ａは、コントローラ４１のメモリ４１ｂに記憶してある記録材給紙位置座標情報／排紙位置座標情報を用いて、画像形成装置１０の給紙／排紙位置を所定の形式で明示できるように表示する。
【００４３】
そしてコントローラ４１のＣＰＵ４１ａは、上記大容量給紙ユニット４５から返信された応答コマンドを用いて、表示画面４８ａに大容量給紙ユニット４５の外形を表示させる。この場合も、応答コマンドに含まれる大容量給紙ユニット４５の給紙位置座標情報／排紙位置座標情報を用いて、大容量給紙ユニット４５の給紙／排紙位置を所定の形式で明示する。
【００４４】
このときにコントローラ４１のＣＰＵ４１ａは、画像形成装置の外形寸法及び外形画像サイズと、大容量給紙ユニットの外形寸法及び外形画像サイズとを用いて、これら画像形成装置と大容量給紙ユニットの表示寸法比率が実際の寸法比率と同じになるように表示画像を生成し、かつ、大容量給紙ユニット４５の排紙位置座標と画像形成装置１０の給紙位置座標が適合するように表示画像を生成する。
図８の例では、画像形成装置１０の寸法に合わせて大容量給紙ユニット４５の外形画像を縮小し、図８（Ｂ）に示すように、装置の寸法比率が実際のものと同じになるように表示を行う。またこのときに、画像形成装置１０の給紙位置が明示的に表示される。
【００４５】
なお、実際の操作パネル４８の表示画面４８ａには、図８（Ａ）のような画像は表示されることなく、ＣＰＵ４１ａが取得した外形画像データに基づいて生成した図８（Ｂ）の画像が表示されることになる。
【００４６】
本発明の画像形成システムの他の実施形態では、上記のような寸法比率を制御して外形画像を表示する機能に加えて、画像形成装置１０のメモリ４１ｂと各オプション装置のメモリ４４ｂ〜４７ｂに、画像形成を行う記録材の搬送経路画像を記憶させておく。そしてコントローラ４１のＣＰＵ４１ａは、これら搬送経路画像を用いて、搬送経路上で記録材のジャムが発生したときに、その搬送経路上のジャムの発生箇所を明示的に表示する。
【００４７】
本実施形態では、まず上述の各実施形態における外形情報取得要求コマンドを画像形成装置のコントローラ４１が発行し、オプション装置の外形情報を取得して表示画面４８ａに表示させておく。そして本実施形態ではさらにコントローラ４１は、搬送経路情報取得要求コマンドを発行してオプション装置から搬送経路情報を取得し、上記表示画面４８ａに表示させたシステムの外形画像にその搬送経路情報を表示する。
【００４８】
さらに本実施形態では、搬送経路上で記録材のジャムが発生したときに、ジャムが発生したオプション装置は、画像形成装置のコントローラ４１に対してジャム位置情報コマンドを送信する。これを受けたコントローラ４１では、上記の搬送経路の表示上にジャムが発生した位置を明示的に表示する。
【００４９】
図９は、画像形成装置がオプション装置に対して要求する搬送経路情報取得要求コマンドの一例を説明する図である。搬送経路情報取得要求コマンドは、画像形成装置のコントローラ４１のＣＰＵ４１ａが発行し、プリンタコントロールユニット４３またはスキャナコントロールユニット４２を経由して、各オプション装置に入力する。図９の例では、対象ユニット（オプション装置）としてＬＣＣ（大容量給紙ユニット）が指定されている。図９の例に示すコマンドは、コントローラ４１のＣＰＵ４１ａからプリンタコントロールユニット４３のＣＰＵ４３ａを経由して、大容量給紙ユニット４５に送られる。
【００５０】
図１０は、オプション装置から画像装置に返信される応答コマンドの更に他の例を説明する図である。ここでは、上記図９に示したような搬送情報取得要求コマンドに対して、オプション装置（ここでは大容量給紙ユニット４５）は図１０に示すような応答コマンドをコントローラ４１のＣＰＵ４１ａに返信する。
【００５１】
この場合、画像形成装置及び各オプション装置の外形表示情報（外形寸法、画像サイズ等）や、給紙／排紙位置座標情報は、上記実施形態の外形情報取得要求コマンドによって、すでに画像形成装置１０のコントローラ４１が取得している。従って、大容量給紙ユニット４５が返信する応答コマンドは、自己のユニット名を示すユニット情報、搬送経路画像のデータサイズ、及び搬送経路画像の画像データを含む。この場合、大容量給紙ユニット４５から返信される応答コマンドは、プリンタコントロールユニット４３のＣＰＵ４３ａを経由して、コントローラ４１のＣＰＵ４１ａに入力する。
【００５２】
コントローラ４１のＣＰＵ４１ａは、オプション装置から返信された応答コマンドに従って、操作パネル４８の表示画面４８ａに表示させる画像データを生成し、画像表示させる。
図１１は、表示画面に表示させる外形画像の他の表示例を説明するための図である。まず図１１（Ａ）において、コントローラ４１のＣＰＵ４１ａは、メモリ４１ｂに記憶してある画像形成装置の外形画像、及びオプション装置（ここでは大容量給紙ユニット４５）から取得した外形画像を用いて、操作パネル４８の表示画面４８ａに画像形成装置１０の外形画像を表示させる。このときＣＰＵ４１ａは、コントローラ４１のメモリ４１ｂに記憶してある記録材給紙位置座標情報／排紙位置座標情報、及びオプション装置から収録した記録材給紙位置座標情報／排紙位置座標情報を用いて、システムの給紙／排紙位置を所定の形式で明示する。
【００５３】
そしてコントローラ４１のＣＰＵ４１ａは、上記の搬送経路情報取得要求コマンドに応じてオプション装置から返信された応答コマンドを取得し、図１１（Ｂ）に示すような応答コマンドに含まれる搬送経路画像情報５０を用いて、表示画面４８ａに表示したシステム画像上に搬送経路５１ａを表示する。この場合も、応答コマンドに含まれる画像データサイズ情報を利用して、表示画面４８ａに表示するシステムに位置関係が合致するように搬送経路画像情報を縮小または拡大する処理を行う。図１１（Ｃ）は、図１１（Ａ）のシステム表示に、図１１（Ｂ）に示す搬送経路情報を加えた表示例を示すものである。
【００５４】
図１１（Ｃ）に示すような状態で搬送経路上で記録材のジャムが発生した場合、ジャムが発生したオプション装置（この場合は大容量給紙ユニット４５）は、画像形成装置のコントローラ４１に対して、ジャム位置を特定したジャム位置情報コマンドを送信する。
【００５５】
図１２は、オプション装置から画像装置に送信されるジャム位置情報コマンドの一例を説明する図である。オプション装置（ここでは大容量給紙ユニット４５）は、自己の搬送経路上でジャムが発生した場合に、図１２に示すようなジャム位置情報コマンドをコントローラ４１のＣＰＵ４１ａに送信する。
この場合、大容量給紙ユニット４５が返信する応答コマンドには、自己のユニット名を示すユニット情報、ジャム位置を特定するためのジャム座標（Ｘ，Ｙ）が含まれる。
【００５６】
コントローラ４１のＣＰＵ４１ａは、オプション装置から送信されたジャム位置情報コマンドに従って、操作パネル４８の表示画面４８ａに表示させるジャム位置を示す画像データを生成し、画像表示させる。
図１３は、表示画面に表示させる外形画像の更に他の表示例を説明するための図で、図１１（Ｃ）の表示に加えて搬送経路上のジャム位置を明示した表示例を示すものである。図１３に示すように、オプション装置から図１２に示すようなジャム位置情報コマンドを受け取ったコントローラ４１のＣＰＵ４１ａは、ジャム位置情報コマンドに含まれるジャム座標情報に基づいて、表示画面４８ａに表示したシステムの搬送経路５１ａ上にジャム位置５１ｂを明示する表示を行う。
【００５７】
また上記実施形態では、上記のような搬送経路のジャム位置を明示する機能に加えて、画像形成装置１０のメモリ４１ｂに、または各オプション装置のメモリ４４ｂ〜４７ｂのすくなくともいずれかに、記録材のジャムを解除する方法を説明する情報を記憶しておく。そしてコントローラ４１のＣＰＵ４１ａは、搬送経路上で記録材のジャムが発生したときにその搬送経路上のジャムを解除する情報を表示する。
【００５８】
図１４は、オプション装置から画像装置に送信されるジャム位置情報コマンドの他の例を説明する図である。オプション装置（ここでは大容量給紙ユニット４５）は、自己の搬送経路上で発生したジャムに対してその解除方法を説明する情報を記憶しておく。そして自己の搬送経路上でジャムが発生した場合に、図１４に示すようなジャム位置情報コマンドをコントローラ４１のＣＰＵ４１ａに送信する。
この場合、大容量給紙ユニット４５が返信する応答コマンドには、自己のユニット名を示すユニット情報、ジャム位置を特定するためのジャム座標（Ｘ，Ｙ）、に加えて、ジャム解除手段の情報が含まれている。
【００５９】
図１５は、ジャム解除手段のパラメータの設定例を示す図である。ここではジャム解除手段として、“上ドア開閉”、“前ドア開閉”、“右ドア開閉”、“左ドア開閉”、“後ろドア開閉”等が設定されている。
【００６０】
なお上記のジャムを解除する方法を説明する情報は、上記のようにそのジャムの発生位置に該当する各オプション装置が保持し、ジャムの発生時に上記図１４に示すようなジャム位置情報コマンドを生成して画像形成装置のコントローラ４１に送信してもよく、また全てのジャムの解除情報を画像形成装置１０のコントローラ４１が保持しておき、オプション装置から上図１２に示すようなジャム位置情報コマンドが送られたときに、コントローラ４１でそのジャム位置に該当する解除情報を取得して、表示画面４８ａに表示させるようにしてもよい。
【００６１】
次に上記各実施形態において、画像形成装置やオプション装置の表示を行う際の表示倍率の変換処理例と、表示位置の特定処理例について説明する。
図１６は、画像形成装置とオプション装置の表示倍率の変換処理及び表示位置の特定処理例を説明するための図で、オプション装置として大容量給紙ユニットを使用したときの処理について示すものである。
【００６２】
図７の例に従うと、大容量給紙ユニットの実際の外形幅は３７６ｍｍで、外形画像サイズのＸ方向は２００ｄｏｔである。従ってｄｏｔあたりの外形幅は、３７６／２００＝１８.８ｍｍ／ｄｏｔである。
ここで画像形成装置本体の画像が２５ｍｍ／ｄｏｔであるとすると、大容量給紙ユニットの画像を表示画面に表示するときの変倍率は１８.８／２５となり、大容量給紙ユニットの画像をこの変外率に従って変倍して表示画面に表示させる。
【００６３】
次に表示位置の特定については、画像形成装置本体の給紙位置と、大容量給紙ユニットの排紙位置とを一致させ、表示位置を特定する。
例えば図７の例に従うと、大容量給紙ユニットの排紙座標（Ｙ）は３０ｄｏｔである。この場合、大容量給紙ユニットの左上角の座標を（Ｘ，Ｙ）＝（０，０）とすれば、排紙座標は（０，３０）である（図１６（Ｂ））。
【００６４】
これに対して、上記変倍率を用いて表示の大きさを設定した場合は、大容量給紙ユニットの排紙座標（Ｙ）は３０×１８.８／２５＝約２６ｄｏｔとなり、大容量給紙ユニットの排紙座標（Ｘ，Ｙ）＝（０，２６）となる。
そして画像形成装置本体の給紙位置が、図１６（Ａ）に示すように、（Ｘ，Ｙ）＝（２００，３００）であるとすると、大容量給紙ユニットの排紙座標（Ｘ，Ｙ）＝（０，２６）に対して、表示座標位置を（＋２００，＋２７４）だけオフセットする。これにより大容量給紙ユニットの表示位置を決定することができる。
【００６５】
図１７は、上記各実施形態において画像形成装置がオプション装置の外形画像を取得するときの処理の一例を説明するためのフローチャートである。
コントローラでは、まず操作パネルの表示画面に画像形成装置本体の外形画像を表示する（ステップＳ１）。そしてＰＣＵ（プリンタコントロールユニット）／ＳＣＵ（スキャナコントロールユニット）からオプション接続情報を取得する（ステップＳ２）。
【００６６】
そして取得したオプション接続情報に基づいて、画像形成装置本体に接続されたオプション装置が有るかどうかを判別する（ステップＳ３）。
ここでオプション装置が有る場合、コントローラ４１では、ＰＣＵ／ＣＳＵに対して各オプション装置の画像情報を要求し（ステップＳ４）、各オプション装置の画像情報を取得する（ステップＳ５）。そして操作パネルの表示画面にオプション装置の外形画像を追加表示し（ステップＳ６）、この状態で待機する（ステップＳ７）。
一方、上記ステップＳ３でオプション装置がなければ、ステップＳ７に進んで待機する。
【００６７】
図１８は、オプション装置の外形画像情報を取得して表示画面に表示するときの表示例を示す図である。
まず操作パネルの表示画面４８ａに画像形成装置１０本体の外形画像を表示する（図１８（Ａ））。そして表示画面４８ａに、コントローラ４１が取得した給紙ユニット４６の外形画像を追加表示する（図１８（Ｂ））。さらに表示画面に、コントローラ４１が取得したＳＰＦ（シングルパスフィーダ）４９の外形画像を追加表示時する（図１８（Ｃ））。
【００６８】
ついで、表示画面４８ａに、コントローラ４１が取得した大容量給紙ユニット４５の外形画像を追加表示する（図１８（Ｄ））。そしてさらに表示画面４８ａに、コントローラ４１が取得した後処理装置４７の外形画像を表示する（図１８（Ｅ））。
上記のように、コントローラが取得したオプション装置の外形画像情報を随時画像形成装置本体の表示に追加して表示していくことができる。
【図面の簡単な説明】
【００６９】
【図１】本発明の画像形成システムが適用可能なデジタル複写機の概略構成図である。
【図２】本発明の画像形成システムが適用可能なデジタル複写機における制御系の構成例を説明するための図である。
【図３】画像形成装置がオプション装置に対して要求する外形情報取得要求コマンドの一例を説明する図である。
【図４】ユニット情報のパラメータの設定例を示す図である。
【図５】オプション装置から画像形成装置に返信される応答コマンドの一例を説明する図である。
【図６】表示画面に表示させる外形画像の表示例を説明するための図である。
【図７】オプション装置から画像装置に返信される応答コマンドの他の例を説明する図である。
【図８】表示画面に表示させる外形画像の他の表示例を説明するための図である。
【図９】画像形成装置がオプション装置に対して要求する搬送経路情報取得要求コマンドの一例を説明する図である。
【図１０】オプション装置から画像装置に返信される応答コマンドの更に他の例を説明する図である。
【図１１】表示画面に表示させる外形画像の他の表示例を説明するための図である。
【図１２】オプション装置から画像装置に送信されるジャム位置情報コマンドの一例を説明する図である。
【図１３】表示画面に表示させる外形画像の更に他の表示例を説明するための図である。
【図１４】オプション装置から画像装置に送信されるジャム位置情報コマンドの他の例を説明する図である。
【図１５】ジャム解除手段のパラメータの設定例を示す図である。
【図１６】画像形成装置とオプション装置の表示倍率の変換処理及び表示位置の特定処理例を説明するための図である。
【図１７】画像形成装置がオプション装置の外形画像を取得するときの処理の一例を説明するためのフローチャートである。
【図１８】オプション装置の外形画像情報を取得して表示画面に表示するときの表示例を示す図である。
【符号の説明】
【００７０】
１０…画像形成装置（デジタル複写機）、１１…スキャナ部、１２…レーザプリンタ部、１４…後処理装置、１５…原稿載置台、１６…ＲＡＤＦ、２０…スキャナユニット、２０ａ…第１の走査ユニット、２０ｂ…第２の走査ユニット、２１…ランプリフレクタアセンブリ、２２ａ…第１の反射ミラー、２２ｂ…第２の反射ミラー、２２ｃ…第３の反射ミラー、２３…光学レンズ、２４…ＣＣＤ、２６…レーザ書き込みユニット、２８…電子写真プロセス部、２９…定着器、３１，３２，３３…カセット給紙装置、３４…手差し給紙装置、３５…再供給経路、３６…排紙ローラ、４１…コントローラ、４１ａ…ＣＰＵ、４１ｂ…メモリ、４１ｃ…画像処理部、４２…スキャナコントロールユニット、４２ｂ…メモリ、４３…プリンタコントロールユニット、４３ａ…ＣＰＵ、４４…ドキュメントフィーダ、４４ａ〜４７ａ…ＣＰＵ、４４ｂ〜４７ｂ…メモリ、４５…大容量給紙ユニット、４６…給紙ユニット、４７…後処理装置、４８…操作パネル、４８ａ…表示画面、５１ａ…搬送経路、５１ｂ…ジャム位置。
【図１】
2007036997.tif 000003
【図２】
2007036997.tif 000004
【図３】
2007036997.tif 000005
【図４】
2007036997.tif 000006
【図５】
2007036997.tif 000007
【図６】
2007036997.tif 000008
【図７】
2007036997.tif 000009
【図８】
2007036997.tif 000010
【図９】
2007036997.tif 000011
【図１０】
2007036997.tif 000012
【図１１】
2007036997.tif 000013
【図１２】
2007036997.tif 000014
【図１３】
2007036997.tif 000015
【図１４】
2007036997.tif 000016
【図１５】
2007036997.tif 000017
【図１６】
2007036997.tif 000018
【図１７】
2007036997.tif 000019
【図１８】
2007036997.tif 000020